(57)【要約】【課題】ヘルメットを被って、例えばオートバイに乗っているような場合でも明瞭な会話や音楽などの明瞭な聴取を可能とするヘルメット用通信装置を提供する。【解決手段】ヘルメット装着者の会話の音声を骨伝導マイク１１ａで骨伝導により受信し、第１の切り替えスイッチ１５ａを介して増幅器１７ａで増幅し、この増幅された音声信号を第２の切り替えスイッチ１９ａを介して送信器２１ａに供給し、送信器２１ａからアンテナ２３ａを介して無線信号として他のヘルメット装着者に向けて送信する。他のヘルメット装着者ではアンテナ２７ｂを介して受信器２５ｂで無線信号を受信し、第２の切り替えスイッチ１９ｂを介して増幅器１７ｂで増幅し、第１の切り替えスイッチ１５ｂを介して骨伝導スピーカ１３ｂから骨伝導により伝達する。【選択図】        図１
2004173018.tif 000002
【特許請求の範囲】
【請求項１】
頭部に被るヘルメットに設けられ、外部と通話を行うためのヘルメット用通信装置であって、
ヘルメットに設けられ、ヘルメット装着者の音声を骨伝導により受信して電気信号に変換する骨伝導マイクホンと、
ヘルメットに設けられ、電気音声信号を骨伝導によりヘルメット装着者に伝達する骨伝導スピーカと、
前記骨伝導マイクホンおよび骨伝導スピーカに接続され、骨伝導マイクホンからの電気信号の増幅および骨伝導スピーカへの電気音声信号の増幅を行う増幅器と、
この増幅器に接続され、該増幅器で増幅された骨伝導マイクホンからの電気信号を無線信号として外部に送信する送信手段と、
前記増幅器に接続され、外部からの無線信号を受信し、増幅器を介して骨伝導スピーカに供給する受信手段と
を有することを特徴とするヘルメット用通信装置。
【請求項２】
前記骨伝導マイクホンからの出力を監視し、骨伝導マイクホンから電気信号が出力されているか否かを判定する監視回路と、
この監視回路により骨伝導マイクホンから電気信号が出力されていると判定された場合には、増幅器を骨伝導マイクホンに接続して骨伝導スピーカから切り離すとともに、増幅器を送信手段に接続して受信手段から切り離し、骨伝導マイクホンから電気信号が出力されていないと判定された場合には、増幅器を骨伝導マイクホンから切り離して骨伝導スピーカに接続するとともに、増幅器を送信手段から切り離して受信手段に接続するように動作するスイッチ手段と
を有することを特徴とする請求項１記載のヘルメット用通信装置。
【請求項３】
前記スイッチ手段は、増幅器を骨伝導マイクホンまたは骨伝導スピーカに切り替え接続する第１のスイッチと、増幅器を受信手段または送信手段に切り替え接続する第２のスイッチとを有することを特徴とする請求項２記載のヘルメット用通信装置。
【請求項４】
頭部に被るヘルメットに設けられ、外部に設けられたヘルメット用通信本体装置から無線信号で送信されてくるオーディオ信号を受信してヘルメット装着者に伝達するためのヘルメット用通信装置であって、
ヘルメットに設けられ、オーディオ信号を骨伝導によりヘルメット装着者に伝達する骨伝導スピーカと、
前記ヘルメット用通信本体装置からの無線信号を受信してオーディオ信号として出力する受信手段と、
この受信手段からのオーディオ信号を増幅して前記骨伝導スピーカに供給する増幅器と
を有することを特徴とするヘルメット用通信装置。
【請求項５】
ヘルメット用通信本体装置は、
オーディオ信号を生成するオーディオ再生器と、
このオーディオ再生器からのオーディオ信号を増幅する増幅器と、
この増幅器からの増幅されたオーディオ信号を無線信号として外部に送信する送信手段と
を有することを特徴とする請求項４記載のヘルメット用通信装置。
【請求項６】
前記オーディオ再生器は、複数設けられ、この複数のオーディオ再生器のうちのいずれかを選択して、前記増幅器に供給するための選択スイッチを有することを特徴とする請求項５記載のヘルメット用通信装置。
【請求項７】
周囲に発生する所定の特殊音を検知する特殊音検知手段と、この検知した特殊音のレベルが所定の値以上である場合、前記受信手段の出力レベルを減衰させる減衰器と
を有することを特徴とする請求項１乃至６のいずれか１項に記載のヘルメット用通信装置。
【請求項８】
前記骨伝導マイクホンおよび骨伝導スピーカは、ヘルメットの内皮と外皮との間に緩衝材を介して埋設されていることを特徴とする請求項１乃至７のいずれか１項に記載のヘルメット用通信装置。
【請求項９】
前記骨伝導マイクホンおよび骨伝導スピーカは、ヘルメットに対し着脱自在に設けられていることを特徴とする請求項１乃至７のいずれか１項に記載のヘルメット用通信装置。
【発明の詳細な説明】
【０００１】
【発明の属する技術分野】
本発明は、頭部に被るヘルメットに設けられ、外部と通話を行ったり、外部からのオーディオ信号を受信してヘルメット装着者に伝達するヘルメット用通信装置に関する。
【０００２】
【従来の技術】
ヘルメットを被って、例えばオートバイに乗っている場合でも、音楽を明瞭に聴きたいとか、また同乗者同志での会話を明確に行いたいとか、併走している他のオートバイに乗っている人と会話を行いたいとかの要望や必要があるが、走行中は風きり音がある上に、特にヘルメットがフルフェイス型などのように耳を覆っているような場合には、音楽を聴くことや、同乗者同志の会話はほとんど困難である。
【０００３】
また、ヘッドホンを使用すれば、ヘルメットを被ってオートバイに乗っても、ヘッドホンで音楽を明瞭に聴くことはできるが、ヘッドホンをつけた状態では、例えば救急車のサイレンや周囲の音が聞こえなくなり、オートバイの運転上差し障りがある。
【０００４】
【特許文献１】
特開２００１−３３３４７８号公報
【０００５】
【発明が解決しようとする課題】
上述したように、ヘルメットを被って、例えばオートバイに乗っている場合でも、音楽を明瞭に聴きたいとか、また同乗者同志での会話を明確に行いたいとか、併走している他のオートバイに乗っている人と会話を行いたいとかの要望や必要があるが、走行中は風きり音がある上に、特にヘルメットがフルフェイス型などのように耳を覆っているような場合には、音楽を聴くことや、同乗者同志の会話はほとんど困難であるという問題がある。
【０００６】
また、ヘッドホンを使用すれば、ヘルメットを被ってオートバイに乗っても、ヘッドホンで音楽を明瞭に聴くことはできるが、ヘッドホンをつけた状態では、例えば救急車のサイレンや周囲の音が聞こえなくなり、運転上危険であるという問題がある。
【０００７】
本発明は、上記に鑑みてなされたもので、その目的とするところは、ヘルメットを被って、例えばオートバイに乗っているような場合でも明瞭な会話や音楽などの明瞭な聴取を可能とするヘルメット用通信装置を提供することにある。
【０００８】
【課題を解決するための手段】
上記目的を達成するため、請求項１記載の本発明は、頭部に被るヘルメットに設けられ、外部と通話を行うためのヘルメット用通信装置であって、ヘルメットに設けられ、ヘルメット装着者の音声を骨伝導により受信して電気信号に変換する骨伝導マイクホンと、ヘルメットに設けられ、電気音声信号を骨伝導によりヘルメット装着者に伝達する骨伝導スピーカと、前記骨伝導マイクホンおよび骨伝導スピーカに接続され、骨伝導マイクホンからの電気信号の増幅および骨伝導スピーカへの電気音声信号の増幅を行う増幅器と、この増幅器に接続され、該増幅器で増幅された骨伝導マイクホンからの電気信号を無線信号として外部に送信する送信手段と、前記増幅器に接続され、外部からの無線信号を受信し、増幅手段を介して骨伝導スピーカに供給する受信手段とを有することを要旨とする。
【０００９】
請求項１記載の本発明にあっては、ヘルメット装着者の会話の音声を骨伝導マイクホンで骨伝導により受信して増幅し、送信手段から無線信号として外部の他のヘルメット装着者に向けて送信し、外部からの他のヘルメット装着者の会話の無線信号を受信手段で受信して増幅し、骨伝導スピーカにより骨伝導で伝達するため、ヘルメットを被って、例えばオートバイに乗っている場合でも、同乗者同志の間や並走している複数のオートバイに乗っている人の間で走行中の風きり音もなく、またヘルメットで耳が覆われて聞えなくなることもなく、会話を明瞭に行うことができる。
【００１０】
また、請求項２記載の本発明は、請求項１記載の本発明において、前記骨伝導マイクホンからの出力を監視し、骨伝導マイクホンから電気信号が出力されているか否かを判定する監視回路と、この監視回路により骨伝導マイクホンから電気信号が出力されていると判定された場合には、増幅器を骨伝導マイクホンに接続して骨伝導スピーカから切り離すとともに、増幅器を送信手段に接続して受信手段から切り離し、骨伝導マイクホンから電気信号が出力されていないと判定された場合には、増幅器を骨伝導マイクホンから切り離して骨伝導スピーカに接続するとともに、増幅器を送信手段から切り離して受信手段に接続するように動作するスイッチ手段とを有することを要旨とする。
【００１１】
請求項２記載の本発明にあっては、骨伝導マイクホンからの出力を監視し、骨伝導マイクホンから電気信号が出力されている場合には、増幅器を骨伝導マイクホンに接続して骨伝導スピーカから切り離し、増幅器を送信手段に接続して受信手段から切り離し、骨伝導マイクホンから電気信号が出力されていない場合には、増幅器を骨伝導マイクホンから切り離して骨伝導スピーカに接続し、増幅器を送信手段から切り離して受信手段に接続するため、会話を行う度の切り替え操作を自動的に行うことができ、煩わしい切り替え操作もなく、会話を円滑に行うことができる。
【００１２】
更に、請求項３記載の本発明は、請求項２記載の本発明において、前記スイッチ手段が、増幅器を骨伝導マイクホンまたは骨伝導スピーカに切り替え接続する第１のスイッチと、増幅器を受信手段または送信手段に切り替え接続する第２のスイッチとを有することを要旨とする。
【００１３】
請求項４記載の本発明は、頭部に被るヘルメットに設けられ、外部に設けられたヘルメット用通信本体装置から無線信号で送信されてくるオーディオ信号を受信してヘルメット装着者に伝達するためのヘルメット用通信装置であって、ヘルメットに設けられ、オーディオ信号を骨伝導によりヘルメット装着者に伝達する骨伝導スピーカと、前記ヘルメット用通信本体装置からの無線信号を受信してオーディオ信号として出力する受信手段と、この受信手段からのオーディオ信号を増幅して前記骨伝導スピーカに供給する増幅器とを有することを要旨とする。
【００１４】
請求項４記載の本発明にあっては、ヘルメット用通信本体装置から無線信号で送信されてくるオーディオ信号を受信手段で受信して増幅し、骨伝導スピーカで骨伝導によりヘルメット装着者に伝達するため、ヘルメットを被って、例えばオートバイに乗っている場合でも、風きり音などのような外部の音などに妨害されることなく、オーディオ信号を明瞭に聴くことが可能となる。
【００１５】
また、請求項５記載の本発明は、請求項４記載の本発明において、ヘルメット用通信本体装置が、オーディオ信号を生成するオーディオ再生器と、このオーディオ再生器からのオーディオ信号を増幅する増幅器と、この増幅器からの増幅されたオーディオ信号を無線信号として外部に送信する送信手段とを有することを要旨とする。
【００１６】
更に、請求項６記載の本発明は、請求項５記載の本発明において、前記オーディオ再生器が、複数設けられ、この複数のオーディオ再生器のうちのいずれかを選択して、前記増幅器に供給するための選択スイッチを有することを要旨とする。
【００１７】
請求項７記載の本発明は、請求項１乃至６のいずれか１項に記載の本発明において、周囲に発生する所定の特殊音を検知する特殊音検知手段と、この検知した特殊音のレベルが所定の値以上である場合、前記受信手段の出力レベルを減衰させる減衰器とを有することを要旨とする。
【００１８】
請求項７記載の本発明にあっては、周囲に発生する所定の特殊音を検知し、この検知した特殊音のレベルが所定の値以上である場合、受信手段の出力レベルを減衰させるため、例えば救急車のサイレンや踏み切りの警報音などの特殊音を検知すると、受信手段からの会話やオーディオ信号の音量を減衰させ、これによりサイレンや警報音などの特殊音を明瞭に聞くことができるようにし、安全性を確保することができる。
【００１９】
また、請求項８記載の本発明は、請求項１乃至７のいずれか１項に記載の本発明において、前記骨伝導マイクホンおよび骨伝導スピーカは、ヘルメットの内皮と外皮との間に緩衝材を介して埋設されていることを要旨とする。
【００２０】
請求項８記載の本発明にあっては、骨伝導マイクホンおよび骨伝導スピーカが、ヘルメットの内皮と外皮との間に緩衝材を介して埋設されていることから、デザイン的にすぐれたものを提供することが可能となる。
【００２１】
さらに、請求項９記載の本発明は、請求項１乃至７のいずれか１項に記載の本発明において、前記骨伝導マイクホンおよび骨伝導スピーカは、ヘルメットに対し着脱自在に設けられていることを要旨とする。
【００２２】
請求項９記載の本発明にあっては、骨伝導マイクホンおよび骨伝導スピーカが、ヘルメットに対し着脱自在であるため、任意のヘルメット、例えば現在使用中のヘルメットに装着することもでき、また骨伝導マイクホンおよび骨伝導スピーカを使用しないときには取り外し、別途収容しておくこともできる。
【００２３】
【発明の実施の形態】
以下、図面を用いて本発明の実施の形態を説明する。図１は、本発明の一実施形態に係わるヘルメット用通信装置の構成を示すブロック図である。同図は、２台のヘルメット用通信装置１ａ、１ｂを図示しているが、ヘルメット用通信装置１ａ、１ｂは、骨伝導マイク１１ａ、１１ｂホン（マイクと略称する）１１ａ、１１ｂおよび骨伝導スピーカ１３ａ、１３ｂを有し、例えば１台のオートバイに同乗している２人または並走している２台のオートバイに別々に乗っている２人の頭部に被っているヘルメットにそれぞれ設けられ、骨伝導マイク１１ａ、１１ｂおよび骨伝導スピーカ１３ａ、１３ｂを使用して骨伝導により２人の間で通話を行うものである。なお、ヘルメット用通信装置１ａ、１ｂは、同じ構成であるので、以下の説明では特に必要ない場合には、各構成要素を示す符号の末尾のアルファベットは省略して説明する。
【００２４】
また、各ヘルメット用通信装置１においては、骨伝導マイク１１および骨伝導スピーカ１３は、第１の切り替えスイッチ１５を介して増幅器１７に接続されている。また、増幅器１７は、第２の切り替えスイッチ１９を介して送信器２１または受信器２５に接続されるようになっている。送信器２１および受信器２５は、それぞれアンテナ２３および２７に接続され、このアンテナ２３、２７を介して互いに無線で通信を行い得るようになっている。なお、骨伝導マイク１１、骨伝導スピーカ１３以外の第１の切り替えスイッチ１５、増幅器１７、第２の切り替えスイッチ１９、送信器２１、アンテナ２３、受信器２５およびアンテナ２７は、回路部１０として例えば基板に実装されてから薄い箱内に一体的に収容されている。
【００２５】
第１の切り替えスイッチ１５と第２の切り替えスイッチ１９は、図示しない操作部または制御部により、点線で連結して示すように、同期して切り替え動作するようになっていて、第１の切り替えスイッチ１５が骨伝導マイク１１に接続される場合には、第２の切り替えスイッチ１９は送信器２１に接続され、また第１の切り替えスイッチ１５が骨伝導スピーカ１３に接続される場合には、第２の切り替えスイッチ１９は受信器２５に接続されるようになっている。
【００２６】
図１に示すヘルメット用通信装置１は、図２に示すように、骨伝導マイク１１がヘルメット３１の上部、すなわちヘルメット３１を被った人の頂頭部に相当する上部に設けられ、骨伝導スピーカ１３がヘルメット３１の側部、すなわちヘルメット３１を被った人の耳３２の少し上に当たる側部に設けられ、回路部１０が少し後部寄りの側部に設けられている。なお、骨伝導スピーカ１３の構成として、ヘルメット用通信装置がステレオ式の場合には、骨伝導スピーカ１３は左右２個設けられることになるが、この場合には、２個の骨伝導スピーカ１３は図２と同じ左右対称の両側部に設けられることになる。なお、骨伝導マイク１１と骨伝導マイク１３はヘルメット３１に対して着脱自在に設けて、使い勝手に配慮しても良い。
【００２７】
骨伝導マイク１１および骨伝導スピーカ１３は、更に詳しくは、図３、図４に示すようにヘルメット３１に設けられている。すなわち、図３（ａ）にヘルメット３１の部分断面を示すように、骨伝導マイク１１は、ヘルメット３１のカバーを構成している外側部材３３と内側緩衝部材３５との間の中央緩衝部材３７の内部に内側緩衝部材３５に密着して設けられたり、または図３（ｂ）にヘルメット３１の断面を示すように、ヘルメット３１の中央緩衝部材３７の外側に設けられている外側部材３３の内部に設けられ、これによりヘルメット装着者が離す会話の音声信号が骨伝導により内側緩衝部材３５や中央緩衝部材３７を介して骨伝導マイク１１で検知されるようになっている。なお、図３（ｂ）の場合には、骨伝導マイク１１に骨伝導に伝えられた音声を効率良く伝えるための伝達部材１１ａが設けられている。この伝達部材１１ａの材質、形状（板厚、直径等）は骨伝導による音声を伝えるために共振等を考慮して最適化するようにしても良い。
【００２８】
また、骨伝導スピーカ１３は、図４（ａ）にヘルメット３１の部分断面を示すように、ヘルメット３１のカバーを構成している外側部材３３と内側緩衝部材３５との間の中央緩衝部材３７の内部に内側緩衝部材３５に密着して設けられるとともに、その中央緩衝部材３７側の周囲が周辺保護緩衝部材３９で覆われて構成されたり、または図４（ｂ）に示すように、ヘルメット３１の中央緩衝部材３７の外側に設けられている外側部材３３の内部に設けられ、これにより骨伝導スピーカ１３からの音声信号などが内側緩衝部材３５や中央緩衝部材３７を介して骨伝導によりヘルメット装着者に伝達されるようになっている。なお、図４（ａ）に示すように、骨伝導スピーカ１３の周囲を囲んでいる周辺保護緩衝部材３９は、骨伝導スピーカ１３の周囲を保護するのみでなく、骨伝導スピーカ１３の振動が中央緩衝部材３７を介して骨伝導マイク１１に伝達されることを防止する機能も果たしているものである。
【００２９】
上述したように構成されるヘルメット用通信装置１ａ、１ｂは、例えばオートバイに同乗する２人または並走している２台のオートバイに別々に乗っている２人の頭部に被っているそれぞれのヘルメットに設けられ、このヘルメットに設けられたヘルメット用通信装置１ａ、１ｂを介して２人は会話を明瞭かつ快適に行うことができる。すなわち、ヘルメット用通信装置１ａをヘルメットに有する一方の人が話をすると、その音声は骨伝導により骨伝導マイク１１ａで検知され、電気信号に変換され、第１の切り替えスイッチ１５ａを介して増幅器１７ａに供給されて増幅され、更に第２の切り替えスイッチ１９ａを介して送信器２１ａに供給され、送信器２１ａからアンテナ２３ａを介して無線信号として送信される。
【００３０】
このアンテナ２３ａからの無線信号は、他方の人のヘルメットに設けられているヘルメット用通信装置１ｂのアンテナ２７ｂを介して受信器２５ｂで受信されて電気音声信号に変換される。この電気音声信号は、第２の切り替えスイッチ１９ｂを介して増幅器１７ｂで増幅され、第１の切り替えスイッチ１５ｂを介して骨伝導スピーカ１３ｂに供給され、骨伝導スピーカ１３はこの電気音声信号を骨伝導により他方の人に伝達する。なお、上述した動作における第１の切り替えスイッチ１５と第２の切り替えスイッチ１９の同期切り替え動作は、図示しない操作部または制御部により行われるものであるが、上記説明ではその操作または動作は省略した。しかしながら、これについては、自動的に行う方法について図５に示す実施形態で説明するので、それを参照されたい。
【００３１】
このようにして、一方の人からの話は、骨伝導および無線を介して他方の人に伝達され、また逆に他方の人からの話も同様に骨伝導および無線を介して一方の人に伝達され、これにより両者間で会話が明瞭かつ快適に行われる。この会話は両者の耳を使用せず、骨伝導を使用して行われているため、オートバイの風を切る音により会話がかき消されることもないし、また例えば周囲で救急車のサイレンが鳴れば、このサイレンや周囲の音などは骨伝導とは別に両者の耳で明確に聞くことができ、安全を妨害することもない。更に、本実施形態のヘルメット用通信装置１は、骨伝導と無線を利用しているため、耳にイヤホンを挿入したり、ヘッドホンを付けたり、その他、配線の接続を行うなどの煩わしい手間も必要もなく、単にヘルメットを被るだけで、会話を行うことができるとともに、またコードなどが走行中邪魔になることもなく、転倒時でも安全である。
【００３２】
図５は、本発明の他の実施形態に係わるヘルメット用通信装置の回路構成を示すブロック図である。同図に示す実施形態のヘルメット用通信装置１ｃ、１ｄは、図１に示した実施形態において骨伝導マイク１１からの電気信号を監視する監視手段である音声認識回路２９を設け、この音声認識回路２９の判定結果に基づき第１の切り替えスイッチ１５、第２の切り替えスイッチ１９の同期切り替え動作を自動的に行うように構成した点が異なるものであり、その他の構成および作用は同じであり、同じ構成要素には同じ符号を付している。
【００３３】
すなわち、図５の実施形態では、骨伝導マイク１１の出力に音声認識回路２９を設け、この音声認識回路２９により骨伝導マイク１１からの電気信号を監視し、骨伝導マイク１１から電気信号が出力されているか否かを判定し、この判定結果に基づき、骨伝導マイク１１から電気信号が出力されていると判定された場合には、増幅器１７を骨伝導マイク１１に接続して骨伝導スピーカ１３から切り離すとともに、増幅器１７を送信器２１に接続して受信器２５から切り離すように第１の切り替えスイッチ１５を制御し、また骨伝導マイク１１から電気信号が出力されていないと判定された場合には、増幅器１７を骨伝導マイク１１から切り離して骨伝導スピーカ１３に接続するとともに、増幅器１７を送信器２１から切り離して受信器２５に接続するように第２の切り替えスイッチ１９を制御するようになっている。
【００３４】
このような音声認識回路２９による第１の切り替えスイッチ１５および第２の切り替えスイッチ１９の同期切り替え制御により、本実施形態のヘルメット用通信装置を有するヘルメットを被った人が会話を行う度に例えばスイッチ切り替え用の操作ボタンなどを操作するという煩わしい操作が不要となり、自在に会話を行うことができる。
【００３５】
図６は、本発明の別の実施形態に係わるヘルメット用通信装置の構成を示すブロック図である。同図に示す実施形態は、ヘルメットの外部、例えばオートバイの本体などに設けられたヘルメット用通信本体装置１００から無線信号で送信されてくるオーディオ信号を受信してヘルメット装着者に伝達するためのヘルメット用通信装置１ｅを示すものである。
【００３６】
ヘルメット用通信本体装置１００は、オーディオ信号を発生する複数のオーディオ機器であるＣＤ再生器５１、ＭＤ再生器５３、ラジオ５５、およびカセットテープ再生器５７を有し、これらの複数のオーディオ機器のいずれかからのオーディオ信号を選択用スイッチ６０で選択し、この選択したオーディオ信号を増幅器６１で増幅し、変調器を構成する送信器６３を介してアンテナ６５から無線信号としてヘルメット用通信装置１ｅに送信するようになっている。なお、各オーディオ機器からのオーディオ信号はステレオ信号になっていて、同図にＬ、Ｒと示すように左右の２つの信号として出力され、増幅器６１で増幅され、送信器６３を介してアンテナ６５から出力されている。
【００３７】
ヘルメット用通信装置１ｅは、ヘルメット用通信本体装置１００からの無線信号のオーディオ信号をアンテナ２７を介して復調器を構成する受信器２５で受信し、オーディオ信号に変換する。この受信器２５から出力されるオーディオ信号は、増幅器１７で増幅され、左右の骨伝導スピーカ１３Ｌ、１３Ｒに供給され、骨伝導によりヘルメット装着者に伝達され、ヘルメット装着者はこの左右のオーディオ信号を聞いて楽しむことができるようになっている。
【００３８】
なお、ヘルメット用通信装置１ｅを構成する複数の構成部品のうち、増幅器１７および受信器２５は、点線で囲んで示すように回路部１０ｅとして例えば基板に実装されてから薄い箱内に一体的に収容されている。そして、この回路部１０ｅおよび骨伝導スピーカ１３Ｌ、１３Ｒは、図２に示したようにヘルメット３１に設けられている。更に具体的には、これらは、図３、４に示したようにヘルメット３１の内側緩衝部材３５と外側部材３３との間に埋設されるように設けられている。
【００３９】
また、ヘルメット用通信本体装置１００は、上述したように、例えばオートバイの本体に取り付けられて使用されるが、この使用においては、まずオートバイに乗ったヘルメット装着者がオートバイに取り付けられたヘルメット用通信本体装置１００の選択用スイッチ６０により複数のオーディオ機器の中から所望のオーディオ機器、例えばＣＤ再生器５１を選択すると、この選択されたＣＤ再生器５１からのオーディオ信号は、増幅器６１で増幅され、送信器６３からアンテナ６５を介して無線信号として送信され、ヘルメット装着者のヘルメットに設けられたヘルメット用通信装置１ｅに伝達される。
【００４０】
ヘルメット用通信装置１ｅでは、ヘルメット用通信本体装置１００からの無線信号のオーディオ信号をアンテナ２７を介して受信器２５で受信し、増幅器１７で増幅し、左右の骨伝導スピーカ１３Ｌ、１３Ｒに供給され、骨伝導スピーカ１３Ｌ、１３Ｒから骨伝導によりヘルメット装着者に伝達され、これによりヘルメット装着者はヘルメット用通信本体装置１００のＣＤ再生器５１からのオーディオ信号を楽しむことができる。
【００４１】
なお、ヘルメット用通信本体装置１００は、例えばプラスチックや金属などで構成されたケースに収容されて構成されるが、このように構成されるヘルメット用通信本体装置１００が上述したようにオートバイの本体に取り付けられる場合、この本体部のケースをねじなどによりオートバイの本体に固定的に取り付けるとともに、このケースのカバーとオートバイとの間を鍵などにより容易に取り外されないように固定することが好ましい。そして、例えば鍵を使用せずに、無理にヘルメット用通信本体装置１００のケースをオートバイ本体から取り外すと、警報がなるようにすることも可能である。
【００４２】
また、１台のオートバイに取り付けたヘルメット用通信本体装置１００からのオーディオ信号は、そのオートバイに乗っている人のヘルメットのヘルメット用通信装置１ｅで聴くことができるだけでなく、このオートバイと並走している別のオートバイに乗っている他の人のヘルメットのヘルメット用通信装置１ｅでも聴くことができることは勿論のことである。
【００４３】
更に、図６に示すヘルメット用通信本体装置１００からのオーディオ信号は、図６に示したヘルメット用通信装置１ｅで聞くことができるだけでなく、例えば図１または図５に示したヘルメット用通信装置１ａ〜１ｄでも同様に聴くことができることは勿論である。すなわち、この場合には、ヘルメット用通信本体装置１００から送信される無線信号のオーディオ信号は、ヘルメット用通信装置１ａ〜１ｄのアンテナ２７を介して受信器２５で受信され、第２の切り替えスイッチ１９を介して増幅器１７に供給されて増幅される。この増幅器１７で増幅されたオーディオ信号は、第１の切り替えスイッチ１５を介して骨伝導スピーカ１３に供給され、骨伝導スピーカ１３から骨伝導によりヘルメット装着者に伝達される。なお、この場合、骨伝導スピーカ１３は１台のみであるので、ヘルメット用通信本体装置１００からのオーディオ信号はステレオとして聴けないが、ヘルメット用通信装置１ａ〜１ｄの骨伝導スピーカ１３を左右のステレオ用として２台設けることによりステレオのオーディオ信号として聞くことができることは勿論である。そして、このように図１または図５に示したヘルメット用通信装置でヘルメット用通信本体装置１００からオーディオ信号を聴いている場合に、他のヘルメット装着者からの会話が入った場合などにおいては、ヘルメット用通信本体装置１００からのオーディオ信号をＢＧＭ（バックグランドミュージック）として聴きながら会話を行うようにすることも可能であり、この場合にはオーディオ信号の音楽を中断することなく、会話などを行うことができる。また、この場合には、会話などを聞きやすくするためにＢＧＭのオーディオ信号を自動的に小さくするように制御することも可能である。
【００４４】
図７は、本発明の更に別の実施形態に係わるヘルメット用通信装置の要部の構成を示すブロック図である。
【００４５】
図７に示すヘルメット用通信装置１５は、図１、５、６に示した実施形態のいずれにも適用し得るヘルメット用通信装置の要部を示しているものであり、図１、５、６の実施形態のヘルメット用通信装置において会話またはオーディオを聞いている時に周囲において救急車のサイレンや踏み切りの警報などのような所定の特殊音が鳴っている場合に、このような特殊音が明瞭に聞こえるべく会話やオーディオの音量を減衰させるように構成したものであり、その他の構成および作用は図１、５、６の実施形態と同じであり、その部分の回路構成については一部省略している。
【００４６】
すなわち、図７に示す実施形態のヘルメット用通信装置１５は、サイレンや警報音などの特殊音を含む周囲の音をピックアップするマイクホン（以下、マイクと略称する）８１を有し、このマイク８１でピックアップした周囲の音から特殊音をバンドパスフィルタ８３で選択的に検知するようになっている。すなわち、バンドパスフィルタ８３は、図７において当該バンドパスフィルタ８３の下に図示するように、前記特殊音の周波数のみを通過させるフィルタ特性を有している。
【００４７】
従って、バンドパスフィルタ８３が周囲の音の中から特殊音を選択的に検知して通過させると、この特殊音はコントローラ８５を介してオン信号として減衰器８７に供給され、これにより減衰器８７の減衰量を増大させるようになっている。
【００４８】
減衰器８７には、アンテナ２７を介して受信器２５で受信した会話の音声信号やオーディオ信号が供給されるようになっているので、特殊音に応答してコントローラ８５から減衰器８７にオン信号が供給されると、減衰器８７の減衰量が増大し、これにより受信器２５からの会話の音声信号やオーディオ信号のレベルを低減し、小さくする。従って、この小さくされた音声信号やオーディオ信号が増幅器１７で増幅され、骨伝導スピーカ１３を介してヘルメット装着者に骨伝導により伝達されても、ヘルメット装着者には会話の音声信号やオーディオ信号は小さく聞え、会話の音声信号やオーディオ信号により妨害されることなく、周囲のサイレンや警報音を明瞭に聴くことができることとなり、安全に走行することができる。
【００４９】
なお、上述した例えば図１、５、７に示す実施形態のヘルメット用通信装置では、図示しないが、携帯電話接続端子や携帯電話ホルダなどを設け、この携帯電話ホルダに携帯電話を保持し、携帯電話接続端子に携帯電話を接続し、この携帯電話からの着信信号や音声信号を増幅器１７を介して骨伝導スピーカ１３に供給することにより、骨伝導スピーカ１３からヘルメット装着者に携帯電話の着信や音声を伝達し、これにより電話による会話も自動的かつ円滑行うようにすることも可能である。
【００５０】
また、上述した各実施形態のヘルメット用通信装置において、会話やオーディオ信号用の無線チャンネルの周波数などを切り替え可能にすることにより、複数のヘルメット用通信装置間の会話やオーディオの聴取でも、複数のヘルメット用通信装置がすべて同じ会話やオーディオの聴取を行うのでなく、例えば２人の会話毎にまたは何人かのグループ毎に無線チャンネルの周波数などを切り替えて、会話やオーディオの聴取を他の人に聞えなくするように制御することも可能である。また、会話やオーディオ信号用の無線チャンネルの周波数などを異なるように設定して、音楽のみまたは会話のみを選択することにすることも可能である。
【００５１】
更に、上述した各実施形態のヘルメット用通信装置に対してカーナビ機能を付加し、そのカーナビの道路案内を骨伝導により伝達するようにすることも可能である。
【００５２】
また、上述した骨伝導マイクホンおよび骨伝導スピーカをヘルメットに対し着脱自在とすることにより、任意のヘルメット、例えばツーリング仲間のヘルメットに適宜、装着し会話を楽しむことが容易に行え、また骨伝導マイクホンおよび骨伝導スピーカを使用しないときには取り外し、別途収容しておくこともできる。
【００５３】
なお、上述した各実施形態では、ヘルメット用通信装置１には上記構成要素以外に例えば直流１２Ｖのバッテリ、音量調整用のボリュームなども有しているものであり、このようなボリュームを用いて、それぞれの音量を調整することも可能である。
【００５４】
【発明の効果】
以上説明したように、本発明によれば、ヘルメット装着者の会話の音声を骨伝導マイクホンで骨伝導により受信して増幅し、送信手段から無線信号として外部の他のヘルメット装着者に向けて送信し、外部からの他のヘルメット装着者の会話の無線信号を受信手段で受信して増幅し、骨伝導スピーカにより骨伝導で伝達するので、ヘルメットを被って、例えばオートバイに乗っている場合でも、同乗者同志の間や並走している複数のオートバイに乗っている人の間で走行中の風きり音もなく、またヘルメットで耳が覆われて聞えなくなることもなく、会話を明瞭に行うことができる。
【００５５】
また、本発明によれば、骨伝導マイクホンからの出力を監視し、骨伝導マイクホンから電気信号が出力されている場合には、増幅器を骨伝導マイクホンに接続して骨伝導スピーカから切り離し、増幅器を送信手段に接続して受信手段から切り離し、骨伝導マイクホンから電気信号が出力されていない場合には、増幅器を骨伝導マイクホンから切り離して骨伝導スピーカに接続し、増幅器を送信手段から切り離して受信手段に接続するので、会話を行う度の切り替え操作を自動的に行うことができ、煩わしい切り替え操作もなく、会話を円滑に行うことができる。
【００５６】
更に、本発明によれば、ヘルメット用通信本体装置から無線信号で送信されてくるオーディオ信号を受信して増幅し、骨伝導スピーカで骨伝導によりヘルメット装着者に伝達するので、ヘルメットを被って、例えばオートバイに乗っている場合でも、風きり音などのような外部の音などに妨害されることなく、オーディオ信号を明瞭に聴くことが可能となる。
【００５７】
本発明によれば、周囲に発生する所定の特殊音を検知し、この検知した特殊音のレベルが所定の値以上である場合、受信手段の出力レベルを減衰させるので、例えば救急車のサイレンや踏み切りの警報音などの特殊音を検知すると、受信手段からの会話やオーディオ信号の音量を減衰させ、これによりサイレンや警報音などの特殊音を明瞭に聞くことができるようにし、安全性を確保することができる。
【図面の簡単な説明】
【図１】本発明の一実施形態に係わるヘルメット用通信装置の構成を示すブロック図である。
【図２】図１に示すヘルメット用通信装置がヘルメットに取り付けられている構造を示す斜視図である。
【図３】図２に示すようにヘルメット用通信装置の骨伝導マイクが設けられているヘルメットの構造を示す断面図である。
【図４】図２に示すようにヘルメット用通信装置の骨伝導スピーカが設けられているヘルメットの構造を示す断面図である。
【図５】本発明の他の実施形態に係わるヘルメット用通信装置の回路構成を示すブロック図である。
【図６】本発明の別の実施形態に係わるヘルメット用通信装置の構成を示すブロック図である。
【図７】本発明の更に別の実施形態に係わるヘルメット用通信装置の要部の構成を示すブロック図である。
【符号の説明】
１ａ〜１ｅ  ヘルメット用通信装置
１０、１０ａ〜１０ｅ  回路部
１１、１１ａ、１１ｂ  骨伝導マイク
１３、１３ａ、１３ｂ、１３Ｌ、１３Ｒ  骨伝導スピーカ
１５ａ、１５ｂ  第１の切り替えスイッチ
１７、１７ａ、１７ｂ  増幅器
１９ａ、１９ｂ  第２の切り替えスイッチ
２１ａ、２１ｂ  送信器
２３ａ、２３ｂ、２７ａ、２７ｂ  アンテナ
２５、２５ａ、２５ｂ  受信器
２９ａ、２９ｂ  音声認識回路
５１  ＣＤ再生器
５３  ＭＤ再生器
５５  ラジオ
５７  カセットテープ再生器
６０  選択用スイッチ
６１  増幅器
６３  送信器
８１  マイク
８３  バンドパスフィルタ
８５  コントローラ
８７  減衰器
１００  ヘルメット用通信本体装置
【図１】
2004173018.tif 000003
【図２】
2004173018.tif 000004
【図３】
2004173018.tif 000005
【図４】
2004173018.tif 000006
【図５】
2004173018.tif 000007
【図６】
2004173018.tif 000008
【図７】
2004173018.tif 000009